(57)【要約】      （修正有）【課題】軽量、安価なソーラーパネルを提供する。【解決手段】カーテン、ブラインドにソーラーセルを付着させ軽量、安価にした。【選択図】図１
2014152600.tif 000002
【特許請求の範囲】
【請求項１】
ソーラーセルを付着させたカーテン、ブラインド
【発明の詳細な説明】
【技術分野】
【０００１】本発明はソーラーパネルに関するものである
【背景技術】
【０００２】現在、ソーラーパネルは屋根などに設置し、耐候性のある強固なガラス、架台などを必要としている。また、設置工事も必要である。
【発明の開示】
【発明が解決しようとする課題】
【０００３】ソーラーパネルは屋根など屋外に設置するため耐候性のある強固なガラス、架台などを必要としている。そのため重量が重かった。
また、設置工事も必要で雨漏りなどの問題もあった。
【課題を解決するための手段】
【０００４】現在一般的に室内で使われているカーテンまたはブラインドの一枚一枚の羽部分にソーラーセルを付着させる。
このセルは従来のセルをそのまま羽部分に付着させても良いし、プリント印刷などにより薄く軽量にしても良い。
羽部分を巻き上げることにより、拡大縮小が容易である。上下左右にまた、通常のブラインド操作と同様にして太陽光の受光角度を変えられるようにする。
【発明の効果】
【０００５】ビルの各部屋の窓に設置することにより都市での大規模発電が可能である。
設置、取り外しが容易である。
カーテンまたはブラインド型なので羽部分を巻き上げることにより、拡大縮小が容易である。
強化ガラス、架台などを必要としないのでその分安価に出来る。
ソーラーセルの保護部分はフィルム程度でよい。
【実施例】都市ビルのオフィスまたは住宅の窓側に設置して、太陽光または人工灯を受光するように羽角度を調節して使用する。
【図面の簡単な説明】
【図１】ソーラーセルを付着させたブラインド
【図２】ソーラーセルを付着させたブラインドの一枚の羽部分
【図３】ソーラーセルを付着させた幅の狭いブラインド（天板のネジどめ部分で横向き角度調節）
【図４】ソーラーセルを付着させた縦型ブラインド
【図５】ソーラーセルを付着させたカーテン
【符号の説明】（１）ソーラーセル  （２）ブラインドの羽  （３）ブラインドの羽の角度調節
（４）ネジ
【図１】
2014152600.tif 000003
【図２】
2014152600.tif 000004
【図３】
2014152600.tif 000005
【図４】
2014152600.tif 000006
【図５】
2014152600.tif 000007
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
ソーラーセルを付着させたカーテン、ブラインド
【請求項２】
ソーラーセルを付着させた布、シートなどのほか付着出来るもの
【手続補正書】
【提出日】平成25年2月13日(2013.2.13)
【手続補正１】
【補正対象書類名】明細書
【補正対象項目名】全文
【補正方法】変更
【補正の内容】
【発明の詳細な説明】
【技術分野】
【０００１】本発明はソーラーパネルに関するものである
【背景技術】
【０００２】現在、ソーラーパネルは屋根などに設置し、耐候性のある強固なガラス、架台などを必要としている。また、設置工事も必要である。
【発明の開示】
【発明が解決しようとする課題】
【０００３】ソーラーパネルは屋根など屋外に設置するため耐候性のある強固なガラス、架台などを必要としている。そのため重量が重かった。
また、設置工事も必要で雨漏りなどの問題もあった。
【課題を解決するための手段】
【０００４】現在一般的に室内で使われているカーテンまたはブラインドの一枚一枚の羽根部分にソーラーセルを付着させる。このセルは従来のセルをそのまま羽根分に付着させても良いし、プリント印刷などにより薄く軽量にしても良い。
上下左右にまた、通常のブラインド操作と同様にして太陽光の受光角度を変えられるようにする。
布、シートなどソーラーセルを付着させることの出来るものでもよい。
【発明の効果】
【０００５】ビルの各部屋の窓に設置することにより都市での大規模発電が可能である。
設置、取り外しが容易である。
カーテンまたはブラインド型なので羽根部分を巻き上げることにより、拡大縮小が容易である。
強化ガラス、架台などを必要としないのでその分安価に出来る。
ソーラーセルの保護部分はフィルム程度でよい。
【実施例】都市ビルのオフィス、マンションまたは住宅の窓側に設置して、太陽光または人工灯を受光するように羽根角度を調節して使用する。布、シートなどは適当な所に置いて使用する。
【図面の簡単な説明】
【図１】ソーラーセルを付着させたブラインド
【図２】ソーラーセルを付着させたブラインドの一枚の羽根部分
【図３】ソーラーセルを付着させた幅の狭いブラインド（天板のネジどめ部分で横向き角度調節）
【図４】ソーラーセルを付着させた縦型ブラインド
【図５】ソーラーセルを付着させたカーテン
【符号の説明】（１）ソーラーセル  （２）ブラインドの羽根  （３）ブラインドの羽根の角度調節
（４）ネジ
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
ソーラーセルを付着させたカーテン、ブラインド
【請求項２】
ソーラーセルを付着させた布、シートなどのほか付着出来るもの
【請求項３】
ソーラーセルをプリント印刷により付着させたカーテン、ブラインド、シートなど
【請求項４】
上部の回転可能な止め具一箇所で横向きの受光角度を調節できるようにした、ソーラーセル付きブラインド
【請求項５】
上部と下部を押さえて影ができないようにしたソーラーセル付きカーテン、ブラインド
【請求項６】
ソーラーセルを付着させた掛け軸型、巻き上げ式のもの
【手続補正２】
【補正対象書類名】明細書
【補正対象項目名】全文
【補正方法】変更
【補正の内容】
【発明の詳細な説明】
【技術分野】
【０００１】本発明はソーラーパネルに関するものである
【背景技術】
【０００２】現在、ソーラーパネルは屋根などに設置し、耐候性のある強固なガラス、架台などを必要としている。また、設置工事も必要である。
【発明の開示】
【発明が解決しようとする課題】
【０００３】ソーラーパネルは屋根など屋外に設置するため耐候性のある強固なガラス、架台などを必要としている。そのため重量が重かった。
また、設置工事も必要で雨漏りなどの問題もあった。
【課題を解決するための手段】
【０００４】現在一般的に室内で使われているカーテンまたはブラインドの一枚一枚の羽根部分にソーラーセルを付着させる。このセルは従来のセルをそのまま羽根部分に付着させても良いし、プリント印刷などにより薄く軽量にしても良い。
上下左右にまた、通常のブラインド操作と同様にして太陽光の受光角度を変えられるようにする。
また、下部も上部と同じような押さえ構造にして影が出来ないようにする。（図４．図５）
布、シートなどソーラーセルを付着させることの出来るものでもよい。
掛け軸式または巻き上げ式のものであれば設置操作が容易である。
【発明の効果】
【０００５】ビルの各部屋の窓に設置することにより都市での大規模発電が可能である。
設置、取り外しが容易である。
カーテンまたはブラインド型なので羽根部分を巻き上げることにより、拡大縮小が容易である。
強化ガラス、架台などを必要としないのでその分安価に出来る。
ソーラーセルの保護部分はフィルム程度でよい。
ソーラーセルの効率を良くしたり大量生産安価にすることにより、ビルなどでの電気代はタダ、もしくはそれ以上になる可能性がある。
一般家庭での補助電源として、省エネ、蓄電が出来る。
都市での大規模ソーラー発電所の実現、地産地消。
【実施例】  都市ビルのオフィス、マンションまたは住宅の窓側に設置して、太陽光または人工灯を受光するように羽根角度を調節して使用する。布、シートなどは適当な所に置いて使用する。
農地、山林、遊休地など広大な土地では広いソーラーシートで充分な発電量が得られる。
【図面の簡単な説明】
【図１】ソーラーセルを付着させたブラインド
【図２】ソーラーセルを付着させたブラインドの一枚の羽根部分
【図３】ソーラーセルを付着させた幅の狭いブラインド（天板のネジどめ部分で横向き角度調節）
【図４】ソーラーセルを付着させた縦型ブラインド
【図５】ソーラーセルを付着させたカーテン
【図６】ソーラーセルを付着させた掛け軸型のもの
【図７】ソーラーセルを付着させた巻上げ式のもの
【符号の説明】（１）ソーラーセル  （２）ブラインドの羽根  （３）ブラインドの羽根の角度調節  （４）ネジ
【手続補正３】
【補正対象書類名】図面
【補正対象項目名】全図
【補正方法】変更
【補正の内容】
【図１】
2014152600.tif 000008
【図２】
2014152600.tif 000009
【図３】
2014152600.tif 000010
【図４】
2014152600.tif 000011
【図５】
2014152600.tif 000012
【図６】
2014152600.tif 000013
【図７】
2014152600.tif 000014